(57)【要約】【課題】異なる複数種の属性を有する描画が行われた場合、ユーザが必要に応じて、特定属性の画像を選択的に消すことができる描画システム及び画像削除方法を提供する。【解決手段】描画に係る指示を行なう描画器と、該指示に基づいて描画が行われる表示画面を有する描画装置と、前記表示画面に描画された画像の削除に係る指示を行う削除器とを有し、該描画器、描画装置及び削除器が相互通信できる描画システムにおいて、前記描画装置は、前記描画器からの指示に応じて属性が異なる複数種の画像の描画を行い、前記削除器からの指示に応じて一又は複数属性の画像を選択的に消す。【選択図】図７
2015041295.tif 000002
【特許請求の範囲】
【請求項１】
描画に係る指示を行なう描画器と、該指示に基づいて描画が行われる表示画面を有する描画装置と、前記表示画面に描画された画像の削除に係る指示を行う削除器とを有し、前記描画器、描画装置及び削除器が相互通信できる描画システムにおいて、
前記描画装置は、
前記描画器からの指示に応じて属性が異なる複数種の画像の描画を行う描画手段と、
前記削除器からの指示に応じて一又は複数属性の画像を選択的に消す削除手段とを備えることを特徴とする描画システム。
【請求項２】
前記描画器は特定属性の選択を受け付ける選択受付手段を備えており、
該選択受付手段が前記選択を受け付けた場合、前記描画手段は前記特定属性の画像の描画を行うように構成されていることを特徴とする請求項１に記載の描画システム。
【請求項３】
前記削除器は特定指示を受け付ける指示受付手段を備えており、
前記描画装置は、
前記指示受付手段が前記特定指示を受け付けたか否かを判定する判定手段を備え、
該判定手段によって前記特定指示を受け付けていないと判定された場合、前記削除手段は、前記特定属性を除く他の属性の画像を削除するように構成されていることを特徴とする請求項２に記載の描画システム。
【請求項４】
前記描画装置は、
前記判定手段によって前記特定指示を受け付けたと判定された場合、前記削除手段が前記特定属性を含む全属性の画像を削除するように構成されていることを特徴とする請求項３に記載の描画システム。
【請求項５】
前記描画装置は、
前記判定手段によって前記特定指示を受け付けたと判定された場合、前記削除手段が前記特定属性の画像を削除するように構成されていることを特徴とする請求項３に記載の描画システム。
【請求項６】
描画に係る指示を行なう描画器と、該指示に基づいて描画が行われる表示画面を有する描画装置と、前記表示画面に描画された画像の削除に係る指示を行う削除器とを有し、前記描画器、描画装置及び削除器が相互通信できる描画システムにて、画像を削除する画像削除方法において、
前記描画装置が、前記描画器からの指示に応じて属性が異なる複数種の画像の描画を行うステップと、
前記描画装置が、前記削除器からの指示に応じて一又は複数属性の画像を選択的に消すステップと
を含むことを特徴とする画像削除方法。
【発明の詳細な説明】
【技術分野】
【０００１】
本発明は、描画に係る指示を行なう描画器と、該指示に基づいて描画が行われる表示画面を有する描画装置と、前記表示画面に描画された画像の削除に係る指示を行う削除器とを有し、前記描画器、描画装置及び削除器が相互通信できる描画システム、及び該描画システムでの画像削除方法に関する。
【背景技術】
【０００２】
近年、表示画面に文字、図形等の描画を行なるためのいわゆるタッチペンと、描画された画像を消すイレーザーとを備える電子ホワイトボードが広く普及されている。
【０００３】
例えば、特許文献１においては、既に描画された描画に対して消去要求が行なわれた場合、描画要求時に消去許可の属性で描画された画像に対しては前記消去要求に応じた消去が可能とし、描画要求時に消去不可の属性で描画が出されている画像に対しては、前記消去要求を却下し、又は消去不可の属性を解除して消去許可の属性に変更できる描画制御装置が開示されている。
【先行技術文献】
【特許文献】
【０００４】
【特許文献１】特開平２−１９７９６３号公報
【発明の概要】
【発明が解決しようとする課題】
【０００５】
一方、特許文献１の描画制御装置においては、ユーザが消去不可の属性を有する画像を消去する際、消去不可の属性を解除し、更に消去許可の属性に変更するといった複雑な処理が必要であるという問題がある。
【０００６】
本発明は、斯かる事情に鑑みてなされたものであり、その目的とするところは、描画に係る指示を行なう描画器と、該指示に基づいて描画が行われる表示画面を有する描画装置と、前記表示画面に描画された画像の削除に係る指示を行う削除器とを有し、該描画器、描画装置及び削除器が相互通信できる描画システムにおいて、前記描画装置は、前記描画器からの指示に応じて属性が異なる複数種の画像の描画を行い、前記削除器からの指示に応じて一又は複数属性の画像を選択的に消すことにより、異なる複数種の属性を有する描画が行われた場合、ユーザが容易に所定属性の画像を選択的に消すことができる描画システム、及び画像削除方法を提供することにある。
【課題を解決するための手段】
【０００７】
本発明に係る描画システムは、描画に係る指示を行なう描画器と、該指示に基づいて描画が行われる表示画面を有する描画装置と、前記表示画面に描画された画像の削除に係る指示を行う削除器とを有し、前記描画器、描画装置及び削除器が相互通信できる描画システムにおいて、前記描画装置は、前記描画器からの指示に応じて属性が異なる複数種の画像の描画を行う描画手段と、前記削除器からの指示に応じて一又は複数属性の画像を選択的に消す削除手段とを備えることを特徴とする。
【０００８】
本発明に係る描画システムは、前記描画器は特定属性の選択を受け付ける選択受付手段を備えており、該選択受付手段が前記選択を受け付けた場合、前記描画手段は前記特定属性の画像の描画を行うように構成されていることを特徴とする。
【０００９】
本発明に係る描画システムは、前記削除器は特定指示を受け付ける指示受付手段を備えており、前記描画装置は、前記指示受付手段が前記特定指示を受け付けたか否かを判定する判定手段を備え、該判定手段によって前記特定指示を受け付けていないと判定された場合、前記削除手段は、前記特定属性を除く他の属性の画像を削除するように構成されていることを特徴とする。
【００１０】
本発明に係る描画システムは、前記描画装置は、前記判定手段によって前記特定指示を受け付けたと判定された場合、前記削除手段が前記特定属性を含む全属性の画像を削除するように構成されていることを特徴とする。
【００１１】
本発明に係る描画システムは、前記描画装置は、前記判定手段によって前記特定指示を受け付けたと判定された場合、前記削除手段が前記特定属性の画像を削除するように構成されていることを特徴とする。
【００１２】
本発明に係る画像削除方法は、描画に係る指示を行なう描画器と、該指示に基づいて描画が行われる表示画面を有する描画装置と、前記表示画面に描画された画像の削除に係る指示を行う削除器とを有し、前記描画器、描画装置及び削除器が相互通信できる描画システムにて、画像を削除する画像削除方法において、前記描画装置が、前記描画器からの指示に応じて属性が異なる複数種の画像の描画を行うステップと、前記描画装置が、前記削除器からの指示に応じて一又は複数属性の画像を選択的に消すステップとを含むことを特徴とする。
【発明の効果】
【００１３】
本発明によれば、異なる複数種の属性を有する描画ができるうえに、異なる属性の描画画像が混在する場合であっても、ユーザが容易に所定属性の画像を選択的に消すことができ、ユーザの利便性に優れている。
【図面の簡単な説明】
【００１４】
【図１】本発明の実施の形態１に係る描画システムを概念的に表示した概念図である。
【図２】本発明の実施の形態１に係る描画システムの電子ホワイトボードの要部構成を示す機能ブロック図である。
【図３】本発明の実施の形態１に係る描画システムの電子ホワイトボードにおける、制御部の要部構成を示す機能ブロック図である。
【図４】本発明の実施の形態１に係る描画システムにて、電子ホワイトボードのタッチパネル部における、赤外光の走査の処理を説明する機能ブロック図である。
【図５】本発明の実施の形態１に係る描画システムの電子ホワイトボードにおける、走査及び遮光物との接触位置の検出を説明する説明図である。
【図６】本発明の実施の形態１に係る描画システムにおいて行なわれる描画の処理を説明するフローチャートである。
【図７】本発明の実施の形態１に係る描画システムにおいて行なわれる描画の処理を説明するフローチャートである。
【図８】本発明の実施の形態１に係る描画システムにおいて行なわれる描画及び削除の処理を説明する例示図である。
【発明を実施するための形態】
【００１５】
以下に、本発明の実施の形態に係る描画システムを、いわゆる電子ホワイトボードを含む描画システムに適用し、図面に基づいて詳述する。
【００１６】
（実施の形態１）
図１は本発明の実施の形態１に係る描画システムを概念的に表示した概念図である。図中符号１は、本発明の実施の形態１に係る描画システムを示す。本発明の実施の形態１に係る描画システム１は、電子ホワイトボード１００と、ペン型入力器２００（描画器）と、イレーザー３００（削除器）とを含むように構成されている。
【００１７】
本発明の実施の形態１に係る描画システム１において、電子ホワイトボード１００は、ペン型入力器２００からの描画に係る指示に応じて、描画の処理を行ない、イレーザー３００からの削除に係る指示に応じて描画された画像の削除の処理を行なう。
【００１８】
また、ペン型入力器２００及びイレーザー３００は、電子ホワイトボード１００と無線通信ができるように構成されている。すなわち、電子ホワイトボード１００は、後述するように、ペン型入力器２００から特定属性の画像の描画を行う旨の指示を受信し、イレーザー３００から一又は複数属性の画像を削除する旨の指示を受信できるように構成されている。
【００１９】
電子ホワイトボード１００は、描画の処理によって、例えば線図の画像が表示される矩形の表示画面１０１を有する表示部１００Ａと、後述する方法によって、ペン型入力器２００及びイレーザー３００の位置を検出し、又は表示画面１０１上の所定位置の位置指定を受け付けるタッチパネル部１００Ｂとを備えている。
【００２０】
本発明の実施の形態１のタッチパネル部１００Ｂは、赤外線を発光する発光素子及び赤外線を受光する受光素子を備え、遮光物の位置を検出する、いわゆる赤外線遮断式タッチパネルである。以下、説明の便宜上、赤外線遮断式タッチパネルのシステムを用いて説明するが、他の方式、例えば、静電容量タッチパネル、カメラ式タッチパネル等も同様の効果が得られる。
【００２１】
図２は本発明の実施の形態１に係る描画システム１の電子ホワイトボード１００の要部構成を示す機能ブロック図である。
【００２２】
表示部１００Ａは、例えばＬＣＤ又はＥＬ（Electroluminescence）パネル等の表示画面１０１を備え、ペン型入力器２００から送信される描画に係る指示、イレーザー３００から送信される描画された画像（以下、描画画像という）の削除に係る指示、並びに、タッチパネル部１００Ｂによるペン型入力器２００及びイレーザー３００の位置の検出の結果に基づいて、文字、線図を表示画面１０１に表示・削除する。また、タッチパネル部１００Ｂは走査部９を備えている。
【００２３】
その他、電子ホワイトボード１００は、制御部１０と、ＲＯＭ２と、ＲＡＭ３、通信部５、記憶部６とを備えており、電子ホワイトボード１００は通信部５を介してペン型入力器２００及びイレーザー３００から描画に係る指示、前記描画画像の削除に係る指示等の受信を行う。
【００２４】
制御部１０は、走査部９による走査結果に係る座標に基づき、文字、線図等の描画を表示部１００Ａに指示し、表示部１００Ａは該指示に応じて表示画面１０１に文字、線図等を表示する。
【００２５】
ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００２６】
制御部１０は、ＲＯＭ２に予め格納されている制御プログラムをＲＡＭ３上にロードして実行することによって、バスを介して上述した各種ハードウェアの制御を行い、電子ホワイトボード１００を機能させる。
【００２７】
通信部５はペン型入力器２００及びイレーザー３００から前記描画に係る指示、前記描画画像の削除に係る指示等を受信する。このように、通信部５によって受信された指示は記憶部６に記憶される。通信部５は、後述するペン型入力器２００及びイレーザー３００の通信部に対応して、例えば、Ｂｌｕｅｔｏｏｔｈ（登録商標）、ＺｉｇＢｅｅ（登録商標）等の無線通信を行なうように構成されている。
【００２８】
記憶部６は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００２９】
図３は本発明の実施の形態１に係る描画システム１の電子ホワイトボード１００における、制御部１０の要部構成を示す機能ブロック図である。制御部１０は、ＣＰＵ１１と、座標検出部１２と、遮光物管理部１３と、描画部１４と、表示制御部１５と、削除部１６と、判定部１７とを備えている。
【００３０】
座標検出部１２は、表示画面１０１上における、遮光物（例えば、ペン型入力器２００、イレーザー３００）の座標を検出する。詳しくは、タッチパネル部１００Ｂによって、表示部１００Ａの表示画面１０１上の赤外光遮断が検出された場合に送られる、後述する強度信号に基づき、斯かる遮光物の座標を検出する。
【００３１】
遮光物管理部１３は、走査部９の走査によって検出される遮光物の位置（座標）を管理する。例えば、遮光物管理部１３は、斯かる遮光物が移動する場合、遮光物の移動跡を表す座標履歴を記憶部６に記憶する。
【００３２】
描画部１４は、記憶部６に記憶されている描画処理を実行するためのアプリケーションを用いて、座標検出部１２により検出されたペン型入力器２００の座標と、例えば、通信部５を介してペン型入力器２００から受信した描画に係る指示とを統合して、描画処理に係る描画データの生成を行い、生成された描画データに基づき、表示画面１０１に表示する画像を生成し、生成した画像を表示画面１０１へ画像信号として出力することにより、描画を行う。
【００３３】
また、描画部１４は、属性の異なる２種類の画像にて描画を行なうことができるように構成されている。ここで属性とは描画画像の削除の容易度である。一種類の属性（以下、第１属性という）を有する画像に比べて、他種類の属性（第２属性という）を有する画像はその削除に所定の条件が付され、斯かる条件が満たされていない場合、削除出来ない。以下、前記第１属性を有する画像の描画処理を第１描画処理といい、前記第２属性を有する画像の描画処理を第２描画処理という。
【００３４】
前記所定の条件は、イレーザー３００が後述する特定指示を受け付けたか否かである。すなわち、描画部１４の前記第２描画処理による描画画像は、イレーザー３００が前記特定指示を受け付けた場合のみ削除できる。
【００３５】
更に、描画部１４は、ペン型入力器２００から後述する特定属性選択指示を受け付けたか否かに応じて、第１描画処理、又は第２描画処理を行う。すなわち、ペン型入力器２００から前記特定属性選択指示が受け付けられた場合、描画部１４は前記第２描画処理にて描画を行う。例えば、描画部１４が第２描画処理にて描画を行なった場合は、ＣＰＵ１１は、記憶部６に、斯かる描画画像を特定する特定情報と、該描画画像が第２描画処理にて描画された旨を示すフラグとを記憶する。
【００３６】
表示制御部１５は、ユーザから描画に係る設定を受け付けるウィンドウである操作メニューを表示画面１０１に表示する。該操作メニューには、例えば、線図の色、削除、終了等の指示を受け付けるためのソフトキーのアイコンが設けられている。
【００３７】
削除部１６は、記憶部６に記憶されている描画処理を実行するためのアプリケーションを用いて、座標検出部１２により検出されたイレーザー３００の座標と、例えば、通信部５を介してイレーザー３００から受信した描画画像の削除に係る指示とに基づいて、表示画面１０１にて既に描画されている画像を削除し、記憶部６に記憶されている当該座標履歴を削除する。
【００３８】
また、削除部１６は、イレーザー３００が前記特定指示を受け付けた場合は、つまり、後述する特定指示受付通知をイレーザー３００から受信した場合は、描画部１４の前記第２描画処理による描画画像を含む何れの属性の画像を削除することができるが、イレーザー３００が前記特定指示を受け付けていない場合は、描画部１４の前記第２描画処理による描画画像は削除することができず、前記第１描画処理による描画画像のみを削除することができる。
【００３９】
判定部１７は、前記特定指示受付通知を受信したか否かを判定する。換言すれば、判定部１７は前記特定指示受付通知を受信したか否かを判定することにより、イレーザー３００がユーザから前記特定指示を受け付けたか否かを判定することができる。
【００４０】
また、判定部１７は、描画部１４による描画が行われる際、ペン型入力器２００から前記特定属性選択指示を受け付けたか否かを判定する。
【００４１】
通信部５が前記特定指示受付通知をイレーザー３００から受信した場合、又は、ペン型入力器２００から前記特定属性選択指示を受け付けた場合、記憶部６はその旨を記憶する。判定部１７は、通信部５を監視することにより、又は記憶部６を確認することにより、上述したような判定を行う。
【００４２】
一方、ＣＰＵ１１は、走査部９の発光素子及び受光素子の制御を行なう。
【００４３】
タッチパネル部１００Ｂは、上記したように、赤外線遮断式タッチパネルである。すなわち、ペン型入力器２００の先端又はイレーザー３００が表示部１００Ａの表示画面１０１をタッチする際、赤外光遮断が検出されることによって、斯かる遮光物（ペン型入力器２００、イレーザー３００）の位置を検出する。すなわち、走査結果、受光素子から得られる信号（強度信号）が制御部１０に送出され、これに基づき、座標検出部１２は斯かる遮光物の座標を検出する。このようにして、タッチパネル部１００Ｂは、ユーザから表示部１００Ａ（表示画面１０１）上の位置指定、文字、線画等の入力を受け付ける。
【００４４】
タッチパネル部１００Ｂの走査部９は、表示部１００Ａの表示画面１０１に沿って赤外線の光（赤外光）を走査する。走査部９は、赤外光を照射する複数の発光素子を有する発光部９１と、対応する発光素子からの赤外光を受光する複数の受光素子を有する受光部９２と、制御部１０（ＣＰＵ１１）からの発光信号及び受光信号を夫々の発光部９１及び受光部９２に割り当てるアドレスデコーダ９３と、赤外光遮断の検出に用いられる受光部９２からのアナログ信号をデジタル信号に変換するＡ／Ｄコンバータ９４とを更に備えている。
【００４５】
図４は本発明の実施の形態１に係る描画システム１にて、電子ホワイトボード１００のタッチパネル部１００Ｂにおける、赤外光の走査の処理を説明する機能ブロック図である。
【００４６】
発光部９１は、図示しないマルチプレクサを有しており、発光素子の夫々は該マルチプレクサに接続されている。また、受光部９２も、図示しないマルチプレクサを有しており、受光素子の夫々は該マルチプレクサに接続されている。更に、発光部９１の各発光素子は、受光部９２の何れか一つ受光素子と対応（対向）するように構成されている。
【００４７】
制御部１０のＣＰＵ１１は、複数の発光素子を発光させるための発光信号をアドレスデコーダ９３Ａへ出力すると共に、複数の受光素子を受光させるための受光信号をアドレスデコーダ９３Ｂへ出力する。アドレスデコーダ９３Ａは、ＣＰＵ１１からの信号に応じて、発光素子の内、発光に係る何れかの発光素子を特定する信号を発光部９１に出力し、またアドレスデコーダ９３Ｂは、ＣＰＵ１１からの信号に応じて、受光素子の内で、前記特定された発光素子に対応する受光素子を特定する信号を受光部９２に出力する。
【００４８】
このように特定された発光素子は赤外光を発光し、対応する受光素子は赤外光を受光する。この際、該受光素子によって受光した赤外光の強度を電圧値で示す強度信号がＡ／Ｄコンバータ９４に出力される。Ａ／Ｄコンバータ９４は前記強度信号を例えば、８ビットのデジタル信号に変換し、変換後の強度信号を制御部１０に出力する。制御部１０は、全ての受光素子からの強度信号を取得するために、各受光素子から強度信号を取得する処理を順次繰り返す。
【００４９】
制御部１０のＣＰＵ１１は、各受光素子から取得した強度信号に基づき、該受光素子での受光量を計算する。ＣＰＵ１１は、計算された受光量が予め定められている閾値を超過している場合は、当該受光素子が受光する赤外光の光路は遮断されていないと判定する。また、計算された受光量が、予め定められている閾値以下である場合は、当該受光素子が受光する赤外光の光路が遮断されていると判定する。
【００５０】
このようなＣＰＵ１１の判定結果に基づき、座標検出部１２はペン型入力器２００又はイレーザー３００と表示画面１０１との接触の位置を検出する。すなわち、座標検出部１２は赤外光の光路が遮断されている受光素子を特定し、特定された受光素子の位置に基づき、表示部１００Ａの表示画面１０１上における、ペン型入力器２００及びイレーザー３００との接触面の位置、すなわち、接触の座標を検出する処理を行う。
【００５１】
以下に、前記走査及び遮光物との接触位置の検出について詳しく説明する。図５は本発明の実施の形態１に係る描画システム１の電子ホワイトボード１００における、走査及び遮光物との接触位置の検出を説明する説明図である。
【００５２】
上述したように、表示部１００Ａの表示画面１０１は矩形であり、表示画面１０１の図面視右側及び下側には、表示部１００Ａの縁に沿って複数の発光素子９１１、９１１、…の列が並設されている。発光素子９１１は、例えば、赤外光を発光する発光ダイオード（ＬＥＤ）である。図中には、各発光素子９１１が発光する赤外光の光路を実線の矢印にて示している。
【００５３】
右側の複数の発光素子９１１、９１１、…は、夫々の発光素子９１１が発光する赤外光の光路が表示画面１０１に沿って互いに平行をなすように設けられており、下側の発光素子９１１、９１１、…も同様に設けられている。
【００５４】
すなわち、図５において左右方向（ｘ軸方向）に並設された下側の発光素子９１１、９１１、…と、上下方向（ｙ軸方向）に並設された右側の複数の発光素子９１１、９１１、…とは、その光路が相互直交するように設けられている。
【００５５】
また、表示部１００Ａの表示画面１０１上であって、発光素子９１１、９１１、…と対向する位置には、受光素子９２１、９２１、…が設けられている。
【００５６】
すなわち、表示部１００Ａの表示画面１０１の左側及び上側には、縁に沿って複数の受光素子９２１、９２１、…の列が並設されている。受光素子９２１は、赤外光を受光する受光ダイオードである。発光素子９１１、９１１、…からの赤外光は、対向配置された受光素子９２１、９２１、…によって受光されるように構成されている。
【００５７】
発光素子の場合と同様に、上側の受光素子９２１、９２１、…と、左側の受光素子９２１、９２１、…とは、受光すべき赤外光の光路が相互直交するように設けられている。
【００５８】
走査部９は、表示部１００Ａの表示画面１０１における、Ｘ軸方向の一端から他端まで、またＹ軸方向の一端から他端まで、１つずつ発光素子９１１を順次発光させていき、表示部１００Ａの表示画面１０１における、ペン型入力器２００及びイレーザー３００との接触位置が上述したように検出される。
【００５９】
ペン型入力器２００及びイレーザー３００は、電子ホワイトボード１００（通信部５）と通信可能に構成されており、電子ホワイトボード１００に描画に係る指示、又は前記描画画像の削除に係る指示を行なう。以下、図１及び図２に基づいて、ペン型入力器２００及びイレーザー３００について説明する。
【００６０】
ペン型入力器２００は、ユーザがペン型入力器２００を用いて描画を行なう際、表示部１００Ａの表示画面１０１と接触するペン先ボタン（図示せず）と、電子ホワイトボード１００との通信を行う通信部２０３と、通信部２０３を介して電子ホワイトボード１００に描画の開始する旨指示する描画指示部２０４と、描画に係る画像の属性の選択を受け付ける選択受付部２０２と、特定属性の選択をユーザから受け付ける選択受付ボタン２０１とを備えている。
【００６１】
ペン型入力器２００の通信部２０３は、電子ホワイトボード１００の通信部５に対応し、Ｂｌｕｅｔｏｏｔｈ（登録商標）、ＺｉｇＢｅｅ（登録商標）等の無線通信を行なうように構成されている。
【００６２】
例えば、ユーザがペン型入力器２００を握って表示部１００Ａの表示画面１０１に描画を行なう際、前記ペン先ボタンと、表示画面１０１との接触によって該ペン先ボタンに接触圧がかかり、オンとなる。この際、描画指示部２０４は前記ペン先ボタンを監視することにより、該ペン先ボタンがオンとなった場合、これから描画操作を開始する旨の指示を電子ホワイトボード１００に送信するように通信部２０３に指示する。描画指示部２０４のかかる指示に応じて、通信部２０３は、電子ホワイトボード１００に、これから描画操作を開始する旨の指示を送信する。
【００６３】
選択受付ボタン２０１は、ユーザから特定属性の選択を受け付ける。すなわち、ユーザは選択受付ボタン２０１を操作することにより、第２属性を選択することができる。
【００６４】
この際、選択受付部２０２は、選択受付ボタン２０１を介して、第１属性又は第２属性の選択を受け付ける。すなわち、ユーザによって選択受付ボタン２０１が操作された場合、選択受付部２０２は第２属性の選択を受け付けたものとみなし、選択受付ボタン２０１が操作されていない場合、選択受付部２０２は第１属性の選択を受け付けたものとみなす。
【００６５】
このように、選択受付部２０２が選択受付ボタン２０１を介して第２属性の選択を受け付けた場合、特定属性の選択を受け付けた旨の指示（特定属性選択指示）が通信部２０３によって、電子ホワイトボード１００に送信される。
【００６６】
一方、イレーザー３００は、ユーザが描画画像を削除する操作を行なう際、表示部１００Ａの表示画面１０１と接触する特定面積を有する接触部と、電子ホワイトボード１００との通信を行う通信部３０３と、ユーザが前記第２属性を有する画像、すなわち、描画部１４の第２描画処理による画像を削除する指示を行う際に、操作される指示受付ボタン３０１と、該指示受付ボタン３０１を介して、ユーザから前記特定指示を受け付ける指示受付部３０２とを備えている。
【００６７】
イレーザー３００の通信部３０３は、電子ホワイトボード１００の通信部５に対応し、Ｂｌｕｅｔｏｏｔｈ（登録商標）、ＺｉｇＢｅｅ（登録商標）等の無線通信を行なうように構成されている。
【００６８】
指示受付ボタン３０１は、ユーザから特定指示を受け付ける。すなわち、ユーザは、表示部１００Ａの表示画面１０１に表示された描画画像を削除しようとする場合、必要に応じて指示受付ボタン３０１を操作する。例えば、ユーザが前記描画画像のうち、第２属性の画像を含む画像全体を削除しようとする場合は、指示受付ボタン３０１を操作する。
【００６９】
この際、指示受付部３０２は、指示受付ボタン３０１を介して、第１属性の画像のみを削除する指示又は、第２属性の画像を含む全属性の描画画像を削除する指示を受け付ける。すなわち、ユーザによって指示受付ボタン３０１が操作された場合、指示受付部３０２は第２属性の画像を含む全属性描画画像を削除する旨の指示（以下、特定指示という）を受け付けたものとみなし、指示受付ボタン３０１が操作されていない場合、指示受付部３０２は第２属性の画像を除く他の属性の描画画像を削除する旨の指示を受け付けたものとみなす。
【００７０】
このように、指示受付部３０２が、指示受付ボタン３０１を介して、前記特定指示を受け付けた場合、特定指示を受け付けた旨の通知（特定指示受付指示）が通信部３０３によって、電子ホワイトボード１００に送信される。
【００７１】
なお、上述した座標検出部１２と、遮光物管理部１３と、描画部１４と、表示制御部１５と、削除部１６と、判定部１７とは、ハードウェアロジックによって構成してもよいし、ＣＰＵ１１が所定のプログラムを実行することにより、ソフトウェア的に構築されてもよい。
【００７２】
このような構成を有するので、本発明の実施の形態１に係る描画システム１は、簡単に消されても良い画像の描画と、簡単に消されたくない画像の描画を、必要に応じてユーザが分けて実行できる。すなわち、簡単に消されたくない画像は、前記第２属性の画像として、前記第２描画処理にて描画を行えば、イレーザー３００による削除の際において、指示受付ボタン３０１が操作されない限り、削除されないので、ユーザの要求に対応できる。
【００７３】
図６及び図７は本発明の実施の形態１に係る描画システム１において行なわれる描画の処理を説明するフローチャートである。説明の便宜上、先生が電子ホワイトボード１００に所定の算数問題を出し、複数児童が順番に該算数問題を解く場合を例として説明する。
【００７４】
まず、先生がペン型入力器２００を持って、電子ホワイトボード１００の表示画面１０１に算数問題を書く操作を行うが、該算数問題は、複数の児童が順番に解くものであるので、簡単には消されないようにする必要があることから、選択受付ボタン２０１を押して第２属性を選択する。すなわち、先生は、選択受付ボタン２０１を押したまま、当該算数問題を書く。
【００７５】
この際、ＣＰＵ１１は、ペン型入力器２００の操作であるか否かを判定する（ステップＳ１０１）。斯かる判定は、ＣＰＵ１１が、タッチパネル部１００Ｂの走査部９の走査結果に基づく座標検出部１２の検出結果から、表示画面１０１と接触している物体の接触面積が閾値１以下であるか否か判定することにより行われる。すなわち、該接触面積が閾値１以下である場合、ＣＰＵ１１はペン型入力器２００の接触（操作）であると判定する。
【００７６】
ＣＰＵ１１は、ペン型入力器２００の操作であると判定した場合（ステップＳ１０１：ＹＥＳ）、続いて斯かる操作が描画操作か否か判定する（ステップＳ１０２）。斯かる判定は、前記ペン先ボタンがオンであるか否か、及び、所定距離以上、当該接触位置が移動しているか否か等に基づいて行われる。例えば、前記ペン先ボタンがオンであって、かつ当該接触位置が所定距離以上移動した場合、ＣＰＵ１１は描画操作であると判定する。該接触位置は、タッチパネル部１００Ｂの走査部９の走査結果に基づく座標検出部１２の検出結果から取得できる。
【００７７】
ＣＰＵ１１は、当該操作が描画操作でないと判定した場合（ステップＳ１０２：ＮＯ）、操作メニューの操作であるか否か判定する（ステップＳ１０７）。斯かる判定は、例えば、ペン型入力器２００の当該接触位置と、前記操作メニューの表示位置との対比することにより行われる。すなわち、斯かる接触位置が、前記操作メニューが表示された範囲内である場合、ＣＰＵ１１は前記操作メニューの操作であると判定する。
【００７８】
ＣＰＵ１１によって操作メニューの操作でない判定された場合（ステップＳ１０７：ＮＯ）、換言すれば、ペン型入力器２００が表示画面１０１と接触はしているものの、描画操作でもなく、操作メニューの操作でもない場合は、この処理ルーチンはリターンする。
【００７９】
一方、例えば、描画操作ではないが、前記操作メニューから何れかのアイコンを選択タッチして選択するような操作の場合、ＣＰＵ１１は、操作メニューの操作であると判定し（ステップＳ１０７：ＹＥＳ）、斯かる操作が終了アイコンの操作か否か判定する（ステップＳ１０８）。斯かる判定は、ペン型入力器２００の当該接触位置と、前記終了アイコンの表示位置との対比することにより行われる。
【００８０】
例えば、ペン型入力器２００の当該接触位置が、前記操作メニューのウィンドウの中、終了アイコンの表示位置内である場合、ＣＰＵ１１は斯かる操作が終了アイコンの操作であると判定し（ステップＳ１０８：ＹＥＳ）、終了処理を実行する（ステップＳ１０９）。すなわち、ＣＰＵ１１は、描画内容、表示内容等を記憶部６に記憶して、電源をオフにする。
【００８１】
また、例えば、ペン型入力器２００の当該接触位置が、前記操作メニューのウィンドウの中であって、終了アイコンの表示位置内でない場合、ＣＰＵ１１は斯かる操作が終了アイコンの操作でないと判定し（ステップＳ１０８：ＮＯ）、すなわち、終了アイコンでない他のアイコンの操作であると判定し、操作されたアイコンに対応する処理を実行する（ステップＳ１１０）。例えば、ペン型入力器２００の当該接触位置に該当する、前記操作メニューのウィンドウの何れかのアイコンに対応する処理を実行する。以降、この処理ルーチンはリターンする。
【００８２】
一方、ＣＰＵ１１は、当該操作が描画操作であると判定した場合（ステップＳ１０２：ＹＥＳ）、第１属性を有する画像の描画か否かを判定する（ステップＳ１０３）。斯かる判定は、判定部１７がペン型入力器２００から前記特定属性選択指示を受け付けたか否かを判定し、該判定結果に基づいて行なわれる。
【００８３】
判定部１７によってペン型入力器２００から前記特定属性選択指示を受け付けていないと判定された場合、ＣＰＵ１１は第１属性を有する画像の描画であると判定する（ステップＳ１０３：ＹＥＳ）。
【００８４】
次いで、ペン型入力器２００先と表示画面１０１の接触位置が走査部９によって検出され、該接触位置の移動跡を表す座標履歴が記憶部６に記憶されて、該座標履歴に応じて描画部１４は表示画面１０１に前記第１描画処理にて描画を行う（ステップＳ１０４）。この際、ＣＰＵ１１は、記憶部６に、斯かる描画画像を特定する特定情報（例えば、座標、属性等）を記憶する（ステップＳ１０５）。以降、この処理ルーチンはリターンする。
【００８５】
また、判定部１７によってペン型入力器２００から前記特定属性選択指示を受け付けたと判定された場合、ＣＰＵ１１は第１属性を有する画像の描画でないと判定する（ステップＳ１０３：ＮＯ）。
【００８６】
すなわち、上述したように、先生が選択受付ボタン２０１を押したまま、当該算数問題を書いた場合は、ペン型入力器２００から前記特定属性選択指示を受け付けたと判定されるので、ＣＰＵ１１は第１属性を有する画像の描画でないと判定する。
【００８７】
算数問題を書く先生の操作に応じて、ペン型入力器２００先と表示画面１０１の接触位置が走査部９によって検出されて、該接触位置の移動跡を表す座標履歴が記憶部６に記憶され、該座標履歴に応じて描画部１４は表示画面１０１に前記第２描画処理にて描画を行う（ステップＳ１０６）。この際、ＣＰＵ１１は、記憶部６に、斯かる描画画像を特定する特定情報（例えば、座標、属性等）と、該描画画像が第２描画処理にて描画された旨を示すフラグとを記憶する（ステップＳ１０５）。以降、この処理ルーチンはリターンする。
【００８８】
図８（Ａ）は以上の処理によって、第２描画処理にて描画された算数問題の一例を示す例示図である。
【００８９】
一方、このように、当該算数問題が表示画面１０１に描画された後、先生は複数の児童に該算数問題を解かせる場合においては、図８（Ａ）に示す算数問題に対して、複数の児童が、表示画面１０１の同一場所に反復的に答えを書くので、児童が変わる都度答えを消す必要があることから、簡単に消える必要がある。従って、児童は選択受付ボタン２０１を押さずに当該算数問題を解く。
【００９０】
すなわち、上述したように、ステップＳ１０１及びステップＳ１０２の処理が行われ、ＣＰＵ１１は、第１属性を有する画像の描画か否かを判定する（ステップＳ１０３）。斯かる判定についてはすでに説明しており、詳しい説明を省略する。
【００９１】
判定部１７によってペン型入力器２００から前記特定属性選択指示を受け付けていないと判定された場合、ＣＰＵ１１は第１属性を有する画像の描画であると判定する（ステップＳ１０３：ＹＥＳ）。
【００９２】
すなわち、上述したように、一の児童が選択受付ボタン２０１を押さずに、当該算数問題の答えを書いた場合は、ペン型入力器２００から前記特定属性選択指示を受け付けていないと判定されるので、ＣＰＵ１１は第１属性を有する画像の描画であると判定する。
【００９３】
前記児童の答えを書く操作に応じて、ペン型入力器２００先と表示画面１０１の接触位置が走査部９によって検出され、該接触位置の移動跡を表す座標履歴が記憶部６に記憶されて、該座標履歴に応じて描画部１４は表示画面１０１に前記第１描画処理にて描画を行う（ステップＳ１０４）。この際、ＣＰＵ１１は、記憶部６に、斯かる描画画像を特定する特定情報（例えば、座標、属性等）を記憶する（ステップＳ１０５）。以降、この処理ルーチンはリターンする。
【００９４】
また、判定部１７によってペン型入力器２００から前記特定属性選択指示を受け付けたと判定された場合、ＣＰＵ１１が第１属性を有する画像の描画でないと判定し（ステップＳ１０３：ＹＥＳ）、上述したように、当該接触位置の移動跡を表す座標履歴が記憶部６に記憶され、該座標履歴に応じて描画部１４は表示画面１０１に前記第２描画処理にて描画を行う（ステップＳ１０６）。この際、ＣＰＵ１１は、記憶部６に、斯かる描画画像を特定する特定情報（例えば、座標、属性等）と、該描画画像が第２描画処理にて描画された旨を示すフラグとを記憶する（ステップＳ１０５）。以降、この処理ルーチンはリターンする。
【００９５】
図８（Ｂ）は以上の処理によって、第１描画処理にて描画された答えの一例を示す例示図である。便宜上、第１描画処理にて描画された答えは、第２描画処理にて描画された算数問題より細い実線にて示している。
【００９６】
一方、以上のように、一の児童によって表示画面１０１に答えが書かれた場合、次の児童のため、書かれている答えを消す必要があり、また、授業の後は、当該算数問題までも消す必要がある。以下、このような操作に対して説明する。
【００９７】
すなわち、ステップＳ１０１にて、ＣＰＵ１１は、ペン型入力器２００の操作でないと判定した場合（ステップＳ１０１：ＮＯ）、続いて斯かる操作がイレーザー３００の操作か否か判定する（ステップＳ１１１）。斯かる判定は、ＣＰＵ１１が、タッチパネル部１００Ｂの走査部９の走査結果に基づく座標検出部１２の検出結果から、表示画面１０１と接触している物体の接触面積が閾値１以上であって閾置２以下であるか否か判定することにより行われる。すなわち、該接触面積が閾値１以上であって閾置２以下である場合、ＣＰＵ１１はイレーザー３００の接触（操作）であると判定する。
【００９８】
ＣＰＵ１１によって、斯かる操作がイレーザー３００の操作でないと判定した場合（ステップＳ１１１：ＮＯ）、処理ルーチンはリターンする。
【００９９】
また、ＣＰＵ１１が斯かる操作がイレーザー３００の操作であると判定した場合（ステップＳ１１１：ＹＥＳ）、判定部１７はイレーザー３００が前記特定指示を受け付けたか否か判定する（ステップＳ１１２）。斯かる判定は、前記特定指示受付通知をイレーザー３００から受信したか否かを判定することによって行なわれる。
【０１００】
例えば、一の児童によって表示画面１０１に答えが書かれ、次の児童のため、書かれている答えを消す場面では、第１描画処理にて描画された答えのみ消せば良く、算数問題まで消す必要はない。従って、先生はイレーザー３００の指示受付ボタン３０１を押していない状態にて当該答えを消す操作を行うこととなる。
【０１０１】
この際、電子ホワイトボード１００が前記特定指示受付通知を受信することはなく、判定部１７はイレーザー３００が前記特定指示を受け付けていないと判定する（ステップＳ１１２：ＮＯ）。
【０１０２】
従って、削除部１６は、記憶部６に記憶されている描画処理を実行するためのアプリケーションを用いて、座標検出部１２により検出されたイレーザー３００の座標に対応する画像であって、第２属性の画像を除く、前記第１描画処理による第１属性の画像である当該答えのみを削除する（ステップＳ１１５）
【０１０３】
この際、ＣＰＵ１１は、記憶部６に既に記憶されている、削除された描画画像（答えの画像）を特定する特定情報を削除する（ステップＳ１１４）。以降、この処理ルーチンはリターンする。
【０１０４】
図８（Ｃ）は以上の処理によって、第１描画処理にて描画された答えが消された状態を示す例示図である。便宜上、消された描画画像は破線にて示している。
【０１０５】
一方、算数授業が終わり、当該算数問題を含む全ての描画画像を消す場面では、先生はイレーザー３００の指示受付ボタン３０１を押した状態にて表示画面１０１の描画画像を消す操作を行うこととなる。
【０１０６】
この際、イレーザー３００は、指示受付ボタン３０１を介して、前記特定指示を受け付け、電子ホワイトボード１００に前記特定指示受付通知が送信される。これによって、判定部１７はイレーザー３００が前記特定指示を受け付けたと判定する（ステップＳ１１２：ＹＥＳ）。
【０１０７】
従って、削除部１６は、記憶部６に記憶されている描画処理を実行するためのアプリケーションを用いて、座標検出部１２により検出されたイレーザー３００の座標に対応する画像であって、第２属性の画像を含む表示画面１０１上の描画画像、すなわち、前記第１描画処理による第１属性の画像である当該答え、及び、前記第２描画処理による第２属性の画像である算数問題を削除する（ステップＳ１１３）
【０１０８】
この際、ＣＰＵ１１は、記憶部６に既に記憶されている、削除された描画画像（答えの画像）を特定する特定情報を削除する（ステップＳ１１４）。以降、この処理ルーチンはリターンする。
【０１０９】
図８（Ｄ）は以上の処理によって、第１描画処理にて描画された答え、及び、第２描画処理にて描画された算数問題が消された状態を示す例示図である。便宜上、消された描画画像は破線にて示している。
【０１１０】
本発明の実施の形態１に係る描画システム１は、以上の記載に限るものでない。以上の記載においては、イレーザー３００の指示受付ボタン３０１が操作された場合、第２属性を含む全属性の描画画像が消される場合を例に挙げて説明したが、これに限るものでない。例えば、イレーザー３００の指示受付ボタン３０１が操作された場合、第２属性の描画画像のみが消されるように構成しても良い。
【０１１１】
（実施の形態２）
実施の形態１においては、ペン型入力器２００が選択受付ボタン２０１を備えており、選択受付ボタン２０１を介してユーザから特定属性の選択を受け付ける場合を例として説明したが、本発明はこれに限るものでない。
【０１１２】
例えば、第１属性の画像用のペン型入力器２００と、第２属性の画像用のペン型入力器２００とを別に設けてもよい。このような場合は、夫々ペン型入力器２００が自機の識別データを有するように構成することにより、各ペン型入力器２００の通信部２０３が電子ホワイトボード１００に描画の開始する旨の指示を送信する際に、自機の識別データを共に送信するようにすれば良い。
【０１１３】
（実施の形態３）
実施の形態１においては、ペン型入力器２００が選択受付ボタン２０１を備えており、選択受付ボタン２０１を介してユーザから特定属性の選択を受け付ける場合を例として説明したが、本発明はこれに限るものでない。
【０１１４】
例えば、ユーザから描画に係る設定を受け付けるウィンドウである前記操作メニューに、第１属性の画像の描画の指示を受け付けるアイコンと、第２属性の画像の描画の指示を受け付けるアイコンとを設け、ユーザが必要に応じて斯かるアイコンをタッチ操作することにより、選択できるように構成しても良い。
【０１１５】
（実施の形態４）
また、以上においては、描画画像の削除の容易度に応じて画像の属性を分けた場合を例にあげて説明したが、本発明はこれに限るものでない。例えば、描画に係る線の色毎に属性を分けてもよく、描画に係る線の種類毎に属性を分けてもよく、描画画像の位置毎に属性を分けてもよい。
【０１１６】
（実施の形態５）
また、以上の記載においては、属性の種類が２つである場合を例として説明したが、本発明はこれに限るものでない。例えば、属性を３つ以上に設定してもよく、この際、指示受付ボタン３０１及び選択受付ボタン２０１における、属性の選択の受け付けは、これらボタンの押圧の回数によって定まるように構成すれば良い。
【０１１７】
本発明においては、描画に係る指示を行なう描画器２００と、該指示に基づいて描画が行われる表示画面１０１を有する描画装置１００と、前記表示画面１０１に描画された画像の削除に係る指示を行う削除器３００とを有し、該描画器２００、描画装置１００及び削除器３００が相互通信できる描画システム１において、前記描画装置１００は、前記描画器２００からの指示に応じて属性が異なる複数種の画像の描画を行う描画部１４と、前記削除器３００からの指示に応じて一又は複数属性の画像を選択的に消す削除手段１６とを備えることを特徴とする。
【０１１８】
本発明によれば、前記描画部が前記描画器からの指示に応じて属性が異なる複数種の画像の描画を行い、このように、複数種の属性の画像が混在する場合であっても、前記削除手段が前記削除器からの指示に応じて一又は複数属性の画像を選択的に消す。
【０１１９】
本発明においては、前記描画器２００は特定属性の選択を受け付ける選択受付手段２０２を備えており、該選択受付手段２０２が前記選択を受け付けた場合、前記描画部１４は前記特定属性の画像の描画を行うように構成されていることを特徴とする。
【０１２０】
本発明によれば、前記選択受付手段が、例えば、ユーザから特定属性の選択を受け付けた場合、前記描画部は前記特定属性を有する画像の描画を行う。
【０１２１】
本発明においては、前記削除器３００は特定指示を受け付ける指示受付手段３０２を備えており、前記描画装置１００は、前記指示受付手段３０２が前記特定指示を受け付けたか否かを判定する判定手段を備え、該判定手段によって前記特定指示を受け付けていないと判定された場合、前記削除手段１６は、前記特定属性を除く他の属性の画像を削除するように構成されていることを特徴とする。
【０１２２】
本発明によれば、前記判定手段によって、前記指示受付手段が前記特定指示を受け付けていないと判定された場合、前記削除手段は、前記特定属性を除く他の属性の画像を削除する。
【０１２３】
本発明においては、前記描画装置１００は、前記判定手段によって前記特定指示を受け付けたと判定された場合、前記削除手段１６が前記特定属性を含む全属性の画像を削除するように構成されていることを特徴とする。
【０１２４】
本発明によれば、前記判定手段によって、前記指示受付手段が前記特定指示を受け付けたと判定された場合、前記削除手段が前記特定属性を含む全属性の画像を削除する。
【０１２５】
本発明においては、前記描画装置１００は、前記判定手段によって前記特定指示を受け付けたと判定された場合、前記削除手段１６が前記特定属性の画像を削除するように構成されていることを特徴とする。
【０１２６】
本発明によれば、前記判定手段によって、前記指示受付手段が前記特定指示を受け付けたと判定された場合、前記削除手段が前記特定属性を有する画像を削除する。
【０１２７】
本発明においては、描画に係る指示を行なう描画器２００と、該指示に基づいて描画が行われる表示画面１０１を有する描画装置１００と、前記表示画面１０１に描画された画像の削除に係る指示を行う削除器３００とを有し、前記描画器２００、描画装置１００及び削除器３００が相互通信できる描画システム１にて、画像を削除する画像削除方法において、前記描画装置１００が、前記描画器２００からの指示に応じて属性が異なる複数種の画像の描画を行うステップと、前記描画装置１００が、前記削除器３００からの指示に応じて一又は複数属性の画像を選択的に消すステップとを含むことを特徴とする。
【０１２８】
本発明によれば、前記描画器からの指示に応じて属性が異なる複数種の画像の描画が行なわれ、このように、複数種の属性の画像が混在する場合であっても、前記削除器３００からの指示に応じて一又は複数属性の画像が選択的に消される。
【符号の説明】
【０１２９】
１  描画システム
１０  制御部
１１  ＣＰＵ
１４  描画部
１６  削除部
１７  判定部
１００  電子ホワイトボード（描画装置）
１０１  表示画面
２００  ペン型入力器
２０２  選択受付部
３００  イレーザー
３０２  指示受付部
【図１】
2015041295.tif 000003
【図２】
2015041295.tif 000004
【図３】
2015041295.tif 000005
【図４】
2015041295.tif 000006
【図５】
2015041295.tif 000007
【図６】
2015041295.tif 000008
【図７】
2015041295.tif 000009
【図８】
2015041295.tif 000010